(57)【特許請求の範囲】
【請求項１】
相撲ゲーム盤台と、相撲ゲーム盤と、Ｕ字型形状の共鳴振動板と、前記相撲ゲーム盤を自然共鳴周波数で共鳴振動させると共に、前記自然共鳴周波数を調整可能にする共鳴振動発生装置とからなるスポーツ模擬ゲーム装置であって、共鳴振動板の両端が上下になるような方向で、前記共鳴振動板の中間部を、前記相撲ゲーム盤台に共鳴振動板取付金具で枢着し、前記共鳴振動板のあいだに前記共鳴振動発生装置を設け、前記共鳴振動板の上端に共鳴振動板取着片で相撲ゲーム盤を取着し、前記共鳴振動板の上部を相撲ゲーム盤台にゲーム盤側遊嵌支持部でスプリングバネを介して、前記共鳴振動板の上部を共鳴振動可能に、ゲーム盤側調整ボルトで、前記スプリングバネを締付けて遊嵌取着することによって自然共鳴周波数を調整可能にし、前記共鳴振動板の下部を相撲ゲーム盤台にゲーム盤台側遊嵌支持部でスプリングバネを介して、前記共鳴振動板の下部を共鳴振動可能にゲーム盤台側調整ボルトで前記スプリングバネを締付けて遊嵌取着することによって自然共鳴周波数を調整可能にしたことを特徴とするスポーツ模擬ゲーム装置。
【発明の詳細な説明】
【技術分野】
【０００１】
本発明はこれまでに知られている手のほかに、電磁マグネット、及び、電動モータを使用したゲーム盤を直接叩いて振動を与えて相撲力士をゲーム盤上で振動動作させ、戦わせるようにしたスポーツ模擬ゲーム装置に関る。
【背景技術】
【０００２】
従来のスポーツ模擬ゲームにおいては、相撲力士をゲーム盤上で振動動作させるものを
、手のほかに電磁マグネットの作動片を振動させるものと、電動モータで首振り回転するコイルスプリングの先端でゲーム盤を叩き、相撲力士を振動動作させ、戦わせるスポーツ模擬ゲーム装置がある。
【特許文献１】実願昭４８−００７４４０号（実開昭４９−１１５０９１号）のマイクロフイルム、
【特許文献２】実開平０１−０２８９３７号（実開平０３−０２１３７４号）のマイクロフイルム、
【特許文献３】特開昭５８−１８２３１１号公報
【特許文献４】特開昭５５−１６０５７６号公報
【特許文献５】実開昭５１−０２０６３７号（実開昭５２−１１４８８７号）のマイクロフイルム、
【特許文献６】実願平０３−１０２４２５号（実開平０５−０４４１７７号）のＣＤ−ＲＯＭ、
【特許文献７】実願昭６０−０８０３４９号（実開昭６１−１９６７８６号）のマイクロフイルム
【発明の開示】
【発明が解決しようとする課題】
【０００３】
本発明は、従来の手のほかに、電磁マグネットの作動片を振動動作させるものと、電動モータで首振り回転するコイルスプリングの先端で、ゲーム盤を叩いて、相撲力士を振動動作させる遊戯の方法では単調な遊びに終始して、すぐに飽きてしまうこの点に鑑みなされたもので、相撲ゲーム盤による遊戯に趣向を凝らすスポーツ模擬ゲーム装置である。
【課題を解決するための手段】
【０００４】
本発明は、二つに分け上下方にしたＵ字型形状の共鳴振動板の自然共鳴周波数で相撲ゲーム盤を共鳴振動させる手段で課題を解決し、相撲ゲーム盤台のＵ字型形状の共鳴振動板で自然共鳴周波数で相撲ゲーム盤を共鳴振動させ、共鳴振動発生装置で自然共鳴周波数の強弱の共鳴振動を調整自在にし、自然共鳴周波数の共鳴振動を調製し得る手段で課題を解決し、Ｕ字型形状の共鳴振動板の二つに分けた上下方の、下方のゲーム盤台側遊嵌支持部でスプリングバネを介して下方の共鳴振動板を自然共鳴周波数の共鳴振動可能に遊嵌取着し、ゲーム盤台側調整ボルトでスプリングバネを締付け、ゲーム盤台側遊嵌支持部で押さえ付け自然共鳴周波数を制限規制と調整自在にし、Ｕ字型形状の共鳴振動板の二つに分け上下方の、上方はゲーム盤側遊嵌支持部でスプリングバネを介して上方の共鳴振動板を自然共鳴周波数の共鳴振動可能に遊嵌取着し、ゲーム盤側調整ボルトでスプリングバネを締付け、ゲーム盤側遊嵌支持部で押え付け自然共鳴周波数を制限規制と調整自在にしたから
、上方の共鳴振動板の先端に設けた相撲ゲーム盤を強自然共鳴周波数で共鳴振動させるために下方の共鳴振動板をゲーム盤台側調整ボルトを強制的に締付け、ゲーム盤台側遊嵌支持部で押え付け振動を停止させ、相撲ゲーム盤を取着した上方の共鳴振動板をゲーム盤側調整ボルトを適宜に締付けて強自然共鳴周波数の共鳴振動板をゲーム盤側遊嵌支持部で押え調整して、適宜な自然共鳴周波数の共鳴振動により相撲ゲーム盤の自然共鳴周波数の共鳴振動を良好なものに調整し得る手段で課題を解決するようにしたスポーツ模擬ゲーム装置である。
【発明の効果】
【０００５】
本発明は上述したように二つに分け上下方にしたＵ字型形状の共鳴振動板の自然共鳴周波数で相撲ゲーム盤を共鳴振動させ、相撲ゲーム盤台のＵ字型形状の共鳴振動板の自然共鳴周波数で相撲ゲーム盤を共鳴振動させ、共鳴振動発生装置で自然共鳴周波数の強弱の共鳴振動を調整自在にし、自然共鳴周波数の共鳴振動を調整をし得るようにし、Ｕ字型形状の共鳴振動板の二つに分けた上下方の、下方はゲーム盤台側遊嵌支持部でスプリングバネを介して下方の共鳴振動板を自然共鳴周波数の共鳴振動可能に遊嵌取着し、ゲーム盤台側調整ボルトでスプリングバネを締付け、ゲーム盤台側遊嵌支持部で押え付け自然共鳴周波数を制限規制と調整自在にし、Ｕ字型形状の共鳴振動板の二つに分けた上下方の、上方はゲーム盤側遊嵌支持部でスプリングバネを介して上方の共鳴振動板を自然共鳴周波数の共鳴振動可能に遊嵌取着し、ゲーム盤側調整ボルトでスプリングバネを締付け、ゲーム盤側遊嵌支持部で押え付け自然共鳴周波数を制限規制と調整自在にしたから、相撲ゲーム盤を
取着した上方の共鳴振動板をゲーム盤側調整ボルトを適宜に締付け強自然共鳴周波数の共鳴振動板をゲーム盤側遊嵌支持部で押え付け調整して、上下方の共鳴振動板を適宜に自然共鳴周波数の共鳴振動により上方の相撲ゲーム盤を共鳴振動させ、相撲ゲーム盤上で自然共鳴周波数の共鳴振動のゲーム遊戯に違った趣向を凝らすスポーツ模擬ゲーム装置である
。
【発明を実施するための最良の形態】
【０００６】
以下、本発明の実施の形態を図１〜図３に基づいて説明する。
【実施例】
【０００７】
図１で本発明を説明すると、６は二つに分け上下方にしたＵ字型形状の共鳴振動板である。二つに分けた上下方にしたＵ字型形状の共鳴振動板６で自然共鳴周波数の共鳴振動を有する構成にしたから、その自然共鳴周波数で相撲ゲーム盤を共鳴振動させるようにしたものである。
相撲ゲーム盤台４でＵ字型形状の共鳴振動板６を共鳴振動板取付金具１６で枢着させ、
相撲ゲーム盤台４のＵ字型形状の共鳴振動板６に自然共鳴周波数を発生させるようにして
相撲ゲーム盤を共鳴振動させ、共鳴振動発生装置１８で自然共鳴周波数の強弱の共鳴振動を調整自在にし、自然共鳴周波数の共鳴振動を調整し得るようにし、この場合には１例として共鳴振動発生装置１８はＵ字型形状の共鳴振動板６にカム９を嵌挿して回転自在に電動モータ３に枢着し、電動モータ３でカム９の回転速度を調整自在にし、Ｕ字型形状の共鳴振動板６はカム９を回転させる電動モータ３を可変抵抗１０を上下させ、回転速度を加速させて、Ｕ字型形状の共鳴振動板６の自然共鳴周波数を強弱の共鳴振動を発生させるようにした共鳴振動発生装置１８で発生する自然共鳴周波数で相撲ゲーム盤５は共鳴振動さ
せるようにしたものである。
Ｕ字型形状の共鳴振動板６の二つに分けた上下方の、上方のゲーム盤側遊嵌支持部１１でスプリングバネ１７を介して上方の共鳴振動板６を共鳴振動可能に遊嵌取着し、ゲーム盤側調整ボルト７でスプリングバネ１７を締付け、ゲーム盤側遊嵌支持部１１で自然共鳴周波数を適宜に制限規制と調整自在にし、Ｕ字型形状の共鳴振動板６の二つに分けた上下方の、下方は相撲ゲーム盤台側遊嵌支持部１２でスプリングバネ１７を介して下方の共鳴振動板６を共鳴振動可能に遊嵌取着し、ゲーム盤台側調整ボルト８でスプリングバネ１７を締付け、ゲーム盤台側遊嵌支持部１２で自然共鳴周波数を適宜に制限規制と調整自在にしたものである。
相撲ゲーム盤台４に共鳴振動板取付金具１６で枢着したＵ字型形状の共鳴振動板６は二つに分けた上下の、上方先端には共鳴振動板取着片１５を介して相撲ゲーム盤台４の上方に相撲ゲーム盤５を設けるようにしてある。
図２で本発明の共鳴振動発生装置１８の１例を示す電気回路で、図について説明する。
スイッチ１４を閉じて、電池１３より可変抵抗１０に入り、可変抵抗１０の抵抗値を上下させ可変し、電動モータ３の回転速度を調整自在にして、回転速度を高速回転させ、Ｕ字型形状の共鳴振動板６はカム９の高速回転で共鳴振動板６に発生する強自然共鳴周波数に出来、強自然共鳴周波数の強共鳴振動で相撲ゲーム盤５を強共鳴振動させるものである
。この強共鳴振動に対し、Ｕ字型形状の共鳴振動板６の二つに分けた上下方の、上方はゲーム盤側遊嵌支持部１１で共鳴振動が可能に遊嵌取着され、ゲーム盤側調整ボルト７でス
プリングバネ１７で締付け押え付け、ゲーム盤側遊嵌支持部１１で強自然共鳴周波数でも適宜に制限規制と調整出来、Ｕ字型形状の共鳴振動板６の二つに分けた上下方の、下方はゲーム盤台側遊嵌支持部１２で共鳴振動が可能に遊嵌取着し、ゲーム盤台側調整ボルト８でスプリングバネ１７を締付け、ゲーム盤台側遊嵌支持部１２で強自然共鳴周波数を適宜に制限規制と調整出来、強自然共鳴周波数の強共鳴振動でも相撲ゲーム盤上においてゲーム遊戯に趣向を凝らしたものが得られる。
上述の強自然共鳴周波数の強共鳴振動に対し、Ｕ字型形状の共鳴振動板６を二つに分けた上下方の、下方は共鳴振動板６のゲーム盤台側遊嵌支持部１２で下方の共鳴振動板６を
スプリングバネ１７を介してゲーム盤台側調整ボルト８で強制的に締付け共鳴振動を停止させ、Ｕ字型形状の共鳴振動板６の二つに分けた上下方の、上方の共鳴振動板６を、ゲーム盤側遊嵌支持部１１で上方の共鳴振動板６をスプリングバネ１７を介して、ゲーム盤側調整ボルト７で適宜に締付け、強自然共鳴周波数の強共鳴振動を適宜に調整して、相撲ゲーム盤５を上方の共鳴振動板６の１個で対応させるようにして、従来よりもゲーム遊戯に趣向を凝らした展開に出来るようにしたものである。
図３は、相撲力士１を左右腕を平行に突き出す姿勢のものが従来の相撲力士１のスタイルであり、相撲力士１を右四つの姿勢と、左四つの姿勢とし、相撲力士１の右左腕の位置を、右四つは右腕を高く、左腕を低くし、相撲力士１の左四つは左腕を高く、右腕を低くした相撲力士１としたものである。
本発明は、ゲーム遊戯に使用するＵ字タイプの相撲力士１に首から胸へと模した胸部２を設けて、ゲーム遊戯で立会い時に、平行に突き出した左右腕の手が、首から胸へと模した胸部に当り、相撲力士１の突き倒しが見られる相撲力士１によるゲーム遊戯に趣向を凝らすようにしたものである。
【産業上の利用可能性】
【０００８】
本発明は、二つに分けた上下方にしたＵ字型形状の共鳴振動板の自然共鳴周波数で相撲ゲーム盤を共鳴振動させ、相撲ゲーム盤に枢着したＵ字型形状の共鳴振動板の自然共鳴周波数で相撲ゲーム盤を共鳴振動させ、共鳴振動発生装置で自然共鳴周波数の強弱の共鳴振動を調整自在にし、自然共鳴周波数の共鳴振動に調整し得るようにし、Ｕ字型形状の共鳴振動板の二つに分けた上下方を遊嵌取着したゲーム盤側、ゲーム盤台側遊嵌支持部でゲーム盤側、ゲーム盤台側調整ボルトを締付け押え付けさせて、下方の共鳴振動板を強制的に
共鳴振動の振動を停止させ、上方の１個の共鳴振動板のみで相撲ゲーム盤を強自然共鳴周波数で対応させ、ゲーム盤側遊嵌支持部で締付け押え付けゲーム遊戯するに適宜に、且つ
、使い勝手に共鳴振動を調整出来、Ｕ字タイプの相撲力士によるゲーム遊戯に趣向を凝らしたスポーツ模擬ゲーム装置である。
【図面の簡単な説明】
【０００９】
【図１】本発明の相撲ゲーム盤のスポーツ模擬ゲーム装置である。
【図２】本発明の相撲ゲーム盤のスポーツ模擬ゲーム装置の要部詳細と電気回路図である
【図３】本発明のＵ字タイプの相撲力士に胸部を設けた相撲力士の説明図である。
【符号の説明】
【００１０】
１    相撲力士                      ２    胸部
３    電動モータ                    ４    相撲ゲーム盤台
５    相撲ゲーム盤                  ６    共鳴振動板
７    ゲーム盤側調整ボルト          ８    ゲーム盤台側調整ボルト
９    カム                          １０  可変抵抗
１１  ゲーム盤側遊嵌支持部          １２  ゲーム盤台側遊嵌支持部
１３  電池                          １４  スイッチ
１５  共鳴振動板取着片              １６  共鳴振動取付金具
１７  スプリングバネ                １８  共鳴振動発生装置
【図１】
0004102397.tif 000002
【図２】
0004102397.tif 000003
【図３】
0004102397.tif 000004